(57)【要約】【課題】エアフィルタ清掃装置の構造が簡略化され、小型で安価な空気調和機の室内機を提供する。【解決手段】本空気調和機の室内機は、エアフィルタの表面を移動可能に配置された清掃ユニットと、この清掃ユニットに適宜連通し、この清掃ユニットに収集した埃を機外に排出する排気ユニットとを備え、清掃ユニットは、エアフィルタの挨除去部材を備える挨除去部と埃収容部を備え、排気ユニットは、清掃ユニットとの連通時、埃収容部に排気ファンを接続し、埃収容部に集めた埃を排気ファンから吹き出される空気と共に機外に排出する排気ダクトを備える。【選択図】  図２
2008032351.tif 000002
【特許請求の範囲】
【請求項１】
室内空気の吸込口と吹出口を連通する送風路にエアフィルタ、熱交換器、送風機を配した空気調和機の室内機において、
前記エアフィルタを清掃するエアフィルタ清掃装置を備え、
このエアフィルタ清掃装置は、前記エアフィルタの表面を移動可能に配置された清掃ユニットと、この清掃ユニットに適宜連通し、この清掃ユニットに収集した埃を機外に排出する排気ユニットとを備え、
前記清掃ユニットは、前記エアフィルタの挨除去部材を備える挨除去部と、この挨除去部に隣接して連通し、一端側に埃排出用空気取入口、他端側に埃排出用排気口を設けた埃収容部を備え、
前記排気ユニットは、室内機本体の一端側部に配置され、前記清掃ユニットとの連通時、前記埃排出用空気取入口に連通する排気ファンと、前記埃排出用排気口に連通し、前記埃収容部に集めた埃を前記排気ファンから吹き出される空気と共に機外に排出する排気ダクトを備えることを特徴とする空気調和機の室内機。
【請求項２】
前記清掃ユニットは、挨除去部と埃収容部の間に設ける連通部を適宜開閉する仕切り部材を備えることを特徴とする請求項１に記載の空気調和機の室内機。
【請求項３】
前記挨除去部材は、モータ駆動で回転する埃かきとりブラシであり、このブラシをフィルタ清掃時、回転させながら、前記清掃ユニットを移動させることを特徴とする請求項１または２に記載の空気調和機の室内機。
【請求項４】
前記清掃ユニットと排気ユニットの連通時、前記清掃ユニットのブラシ用開口を閉塞する遮蔽部材を設けることを特徴とする請求項１ないし３のいずれか１項に記載の空気調和機の室内機。
【請求項５】
前記遮蔽部材は、清掃ユニットと排気ユニットの連通時、前記清掃ユニットと前記排気ユニット間に介在する位置決め板に前記清掃ユニットのブラシ用開口を閉塞する遮蔽板部を備えることを特徴とする請求項４に記載の空気調和機の室内機。
【発明の詳細な説明】
【技術分野】
【０００１】
本発明は空気調和機の室内機に係り、特にエアフィルタ清掃装置の構造を改良した空気調和機の室内機に関する。
【背景技術】
【０００２】
空気調和機の室内機にエアフィルタを設け、被調和空気の挨の除去を行っているが、エアフィルタヘの挨付着は、性能低下の要因、省エネの阻害要因となり、いずれの要因も送風性能を悪化させ、空気調和機の空気調和能力を著しく悪化させる。
【０００３】
従来、エアフィルタ清掃装置を備えた空気調和機の室内機において、エアフィルタ清掃装置は、エアフィルタ部にノズルを当て、直接吸引排気する構造、あるいはブラシ等で掻き取り、その後一気に排気する構造（特許文献１）等があるが、いずれの構造もエアフィルタ接触部から室外排気までの経路は一つに繋がっており、その経路を構成することで、室内機が大きくなるという問題があり、スペースの効率が悪かった。また、エアフィルタ清掃装置を備えるために、そのスペースを確保するための特殊な構造を必要とし、そのエアフィルタ清掃構造を実現するために、それらのスペースの確保が必要となり、エアフィルタ清掃装置を備えない空気調和機の室内機に対しても、予め特殊な構造としておかざるをえず、設計的にも標準化という点で大きな制約があった。
【特許文献１】特開２００２−３４０３９５号公報
【発明の開示】
【発明が解決しようとする課題】
【０００４】
本発明は上述した事情を考慮してなされたもので、エアフィルタ清掃装置の構造が簡略化され、小型で安価な空気調和機の室内機を提供することを目的とする。
【課題を解決するための手段】
【０００５】
上述した目的を達成するため、本発明に係る空気調和機の室内機は、室内空気の吸込口と吹出口を連通する送風路にエアフィルタ、熱交換器、送風機を配した空気調和機の室内機において、前記エアフィルタを清掃するエアフィルタ清掃装置を備え、このエアフィルタ清掃装置は、前記エアフィルタの表面を移動可能に配置された清掃ユニットと、この清掃ユニットに適宜連通し、この清掃ユニットに収集した埃を機外に排出する排気ユニットとを備え、前記清掃ユニットは、前記エアフィルタの挨除去部材を備える挨除去部と、この挨除去部に隣接して連通し、一端側に埃排出用空気取入口、他端側に埃排出用排気口を設けた埃収容部を備え、前記排気ユニットは、室内機本体の一端側部に配置され、前記清掃ユニットとの連通時、前記埃排出用空気取入口に連通する排気ファンと、前記埃排出用排気口に連通し、前記埃収容部に集めた埃を前記排気ファンから吹き出される空気と共に機外に排出する排気ダクトを備える。
【発明の効果】
【０００６】
本発明に係る空気調和機の室内機によれば、フィルタ清掃構造が簡略化され、小型で安価な空気調和機の室内機を提供することができる。
【発明を実施するための最良の形態】
【０００７】
本発明の第１実施形態に係る空気調和機の室内機について添付図面を参照して説明する。
【０００８】
図１は本発明の第１実施形態に係る空気調和機の室内機の縦断面図であり、図２は本発明の第１実施形態に係る空気調和機の室内機本体の一部を切欠して示す斜視図である。
【０００９】
図１及び図２に示すように、本第１実施形態に係る空気調和機の室内機１は、本体２を有し、この本体２には、その前面部に前部吸込口２ａが開口され、上面部には上部吸込口２ｂが開口され、さらに、下部には吹出口２ｃが開口される。
【００１０】
両吸込口２ａ、２ｂと吹出口２ｃを連通する送風路３には、エアフィルタ４、熱交換器５、送風機６が配される。
【００１１】
エアフィルタ４は側面視Ｌ字形状に形成されるフィルタ垂直部４１とフィルタ水平部４２からなり、フィルタ垂直部４１は前部吸込口２ａと熱交換器５の一部を構成する前面側熱交換器５ａ間に配され、前部吸込口２ａから吸い込まれる被調和空気に含まれる埃を除去し、フィルタ水平部４２は前部吸込口２ａの一部及び上部吸込口２ｂと熱交換器５の一部を構成する背面側熱交換器５ｂ間に配され、上部吸込口２ｂから吸い込まれる被調和空気に含まれる埃を除去する。
【００１２】
また、エアフィルタ４に対向して、フィルタ清掃装置７が配され、このフィルタ清掃装置７は、清掃ユニット８と、この清掃ユニット８を適宜移動させる移動ユニット９と、清掃ユニット８と適宜離間あるいは接触する排気ユニット１０を備える。
【００１３】
清掃ユニット８は、エアフィルタ４に付着した挨を除去例えば掻き取るもので、エアフィルタ４と同様にＬ字形状をなし、フィルタ垂直部４１に付着した挨を掻き取る清掃ユニット垂直部８１と、フィルタ水平部４２に付着した挨を掻き取る清掃ユニット水平部８２からなる。
【００１４】
図３及び図４に示すように、清掃ユニット垂直部８１は長方体中空状の垂直部筒体８１ａを備え、この垂直部筒体８１ａにはブラシ用開口８１ｂ１が設けられ、ブラシ８１ｃを収容する埃除去部８１ｂと、この埃除去部８１ｂに隣接して連通し、埃排出用空気取入口８１ｄ１が設けられ、埃を収容する埃収容部８１ｄが設けられ、さらに、垂直部筒体８１ａには、長手方向に沿って、埃除去手段である埃掻き取り具としてのブラシ８１ｃが回転可能に軸受部材８１ｅとモータボックス８１ｆに収容された回転モータ８１ｇ間に軸支されている。
【００１５】
また、図３及び図５に示すように、清掃ユニット垂直部８１と同様に、清掃ユニット水平部８２は長方体中空状の水平部筒体８２ａを備え、この水平部筒体８２ａには、ブラシ用開口８２ｂ１が設けられ、ブラシ８２ｃを収容する埃除去部８２ｂと、この埃除去部８２ｂに隣接して連通し、埃排出用排気口８２ｄ１が設けられ、埃を収容する埃収容部８２ｄが設けられ、さらに、水平部筒体８２ａには、埃収容部８ｄとなる空間を設けるようにして、水平方向に沿って、埃除去手段である埃掻き取り具としてのブラシ８２ｃが回転可能に軸受部材８２ｅと水平部筒体８２ａに収容された回転モータ８２ｇ間に軸支されている。
【００１６】
さらに、図２に示すように、移動ユニット９は、本体構成部材２ｄの長手方向に沿ってこの本体構成部材２ｄに取り付けたボールねじ９ａと、本体壁２ｅにその長手方向に沿って取り付けた案内溝部材９ｂ間に、エアフィルタ４に沿って水平移動可能に取り付けられる。
【００１７】
この移動可能な取り付けは、清掃ユニット８の一端を垂直部筒体８１ａのモータボックス８１ｆの底面に取り付けられボールねじ９ａに螺合するねじ部材９ｃに取り付け、他端を水平部筒体８２ａの端部に設けた案内ピン９ｄを案内溝部材９ｂの案内溝９ｂ１に摺動可能に溝係合して行なう。
【００１８】
また、ボールねじ９ａは、その一端が本体構成部材２ｄに取り付けた軸受部材９ｅによって軸支され、他端が本体構成部材２ｄに取り付けられたねじ回転モータ９ｆに連結され、このねじ回転モータ９ｆを回転することで、ボールねじ９ａを回転させ、このボールねじ９ａに螺合するねじ部材９ｃを介して、清掃ユニット８を水平移動可能にしている。
【００１９】
本体２の一端側、すなわち軸受部材９ｅ側には、排気ユニット１０が配され、この排気ユニット１０は清掃ユニット８との連通時、埃収容部８１ｄの埃排出用空気取入口８１ｄ１に連通する排気ファン１０ａと、埃収容部８２ｄの埃排出用排気口８２ｄ１に連通する排気ダクト１０ｂからなり、さらに、清掃ユニット８との連通時、清掃ユニット８と排気ユニット１０間に介在して、清掃ユニット８の動きを規制し立上り１１ａを有するＬ字形状の位置決め板１１が設けられる。従って、埃排出用空気取入口８１ｄ１と排気ファン１０ａの連通は位置決め板１１に穿設された通気孔１１ｂを介して、埃排出用排気口８２ｄ１と排気ダクト１０ｂへの連通は、位置決め板１１に穿設され排気ダクト１０ｂが取り付けられた通気孔１１ｃを介して行われる。
【００２０】
排出ファン及び排出ダクトは、空気調和機の換気モード運転時に使用する室内空気入れ替え用の換気ファン及び排気ダクトと兼用するのが好ましい。
【００２１】
フィルタ清掃装置７は上記のような構造であり、清掃ユニット８は、埃除去不動作時、図２に点線で示す電気部品収納箱１２の前方の待機位置ｐに待機し、図６に示すように、埃除去動作時、清掃ユニット８が排気ユニット１０まで達して排気ユニット１０に密着し、通気孔１１ｂ、１１ｃを介して、埃排出用空気取入口８１ｄ１と排気ファン１０ａの連通及び埃排出用空気排気口８２ｄ１と排気ダクト１０ｂが連通する。
【００２２】
なお、図中符号２ｆはルーバー、符号１３は伸縮自由に巻回された配線である。
【００２３】
次にフィルタ清掃装置７の働きについて説明する。
【００２４】
図１及び図２に示すように、前部吸込口２ａ及び上部吸込口２ｂを通り、本体２内に吸い込まれた室内空気は、通気路３に配されたエアフィルタ４で埃が除去され、熱交換器５で空気調和され、送風機６を介して、吹出口２ｃから吹き出される。
【００２５】
このような空気調和運転が長時間行われ、エアフィルタ４に埃が溜まると、埃検出センサがこれを検知して、あるいは所定運転時間を演算して、待機位置ｐ近傍にある清掃ユニット８の回転モータ８１ｇを回転させてブラシ８１ｃを回転させ、図４に示すように、回転するブラシ８１ｃによりフィルタ垂直部４１の埃の除去を開始し、また、回転モータ８２ｇを回転させ、図５に示すように、回転するブラシ８２ｃによりフィルタ水平部４２の埃の除去を開始する。これと同時に、ねじ回転モータ９ｆを回転させてボールねじ９ａを回転させ、ねじ部材９ｃを介して、清掃ユニット８を排気ユニット１０方向に水平移動し、エアフィルタ４の清掃を行なう。
【００２６】
ブラシ８１ｃ及びブラシ８２ｃによりフィルタ垂直部４１及びフィルタ水平部４２から除去された埃は、一時的にブラシ８１ｃ及びブラシ８２ｃの近傍に設けた埃収容部８１ｄ、埃収容部８２ｄに溜められる。
【００２７】
清掃ユニット８が水平移動を続行して、清掃ユニット８が排気ユニット１０まで達して位置決め板１１を介して排気ユニット１０に密着すると、通気孔１１ｂ、１１ｃを介して埃排出用空気取入口８１ｄ１と排気ファン１０ａの連通及び埃排出用排気口８２ｄ１と排気ダクト１０ｂが連通し、排気ファン１０ａによって生じる空気流によって、埃収容部８１ｄ、８２ｄに溜まった埃は、排気ダクト１０ｂを介して室外に排出される。
【００２８】
一連の埃除去動作が完了すると、清掃ユニット８は待機位置ｐに戻り、次の埃除去動作を待つ。清掃ユニット８がフィルタ４の前方を避けて待機するので、通風抵抗にならず、通風効率を高めることができる。
【００２９】
上記のような埃除去動作により、フィルタ４に溜まった埃は除去され、自動的に清掃され、空気調和機の空気調和能力が維持される。
【００３０】
また、ブラシでかきとり、その後一気に排気するため、排気運転時間が短く騒音が低減できる。
【００３１】
さらに、排気ファン１０ａにはフィルタ４から除去された埃が通過しないので、排気ファン１０ａに埃が付着することがない。
【００３２】
また、フィルタ清掃装置７は清掃ユニット８と、この清掃ユニット８と分離して別個に設ける排気ユニット１０からなるので、両ユニット８、１０は常時連通する必要がなく、両ユニット８、１０を常時連結しておくダクトの配置スペースが必要なくなり簡単な構造で、かつ本体自体のコンパクト化が可能となり、さらに、空気調和機の基本構成部品である本体を、フィルタ清掃機能を設けない空気調和機の本体との共用化を図かることができる。
【００３３】
さらに、埃排出用排気口８２ｄ１と排気ダクト１０ｂを連通するので、排気ファン１０ａの吹き出し空気により、清掃ユニット８に溜まった埃を空気で押し出し、効率的に排気ダクト１０ｂに排出することができる。
【００３４】
本実施形態の空気調和機の室内機によれば、フィルタ清掃装置の構造が簡略化され、小型で安価な空気調和機の室内機が実現する。
【００３５】
次に本発明の第２実施形態の空気調和機の室内機について説明する。
【００３６】
本第２実施形態は、第１実施形態の挨除去部と埃収容部間に設ける連通部を適宜開閉する仕切り部材を設ける。
【００３７】
例えば、図７に示すように、第２実施形態の空気調和機の室内機は、清掃ユニット８を備え、この清掃ユニット８の清掃ユニット垂直部８１は、挨除去部材としてのブラシ８１ｃを収容する挨除去部８１ｂが設けられ、埃除去部８１ｂとこの埃除去部８１ｂに隣接して連通する埃収容部８１ｄの連通部８１ｈには、モータあるいはソレノイドによって回動する仕切板８１ｉが設けられる。
【００３８】
他の構成は図４に示す清掃ユニット８と異ならないので、同一符号を付して説明は省略する。
【００３９】
これにより、排気ユニット１０による埃排出時、埃収容部８１ｄと埃除去部８１ｂとの連通部を仕切板８１ｉで閉じることで、埃除去部８１ｂへの空気の漏れを防ぎ、効率よく埃を室外へ排出できる。
【００４０】
また、本発明の第３実施形態の空気調和機の室内機について説明する。
【００４１】
本第３実施形態は、第１実施形態の位置決め板に、清掃ユニット８と排気ユニットの連通時、ブラシ用開口８１ｂ１、８２ｂ１を閉塞する遮蔽部材を設けるものである。
【００４２】
例えば、図８に示すように、本発明の第３実施形態の空気調和機の室内機に設けるＬ字形状の位置決め板１１Ａには、清掃ユニット８と排気ユニット１０の連通時、清掃ユニット垂直部８１及び清掃ユニット水平部８２のブラシ用開口８１ｂ１、８２ｂ１を閉塞する遮蔽部材例えば遮蔽板部１１ｐを設け、図９に示すように、清掃ユニット垂直部８１のブラシ用開口８１ｂ１及び清掃ユニット水平部８２のブラシ用開口８２ｂ１を遮蔽板部１１ｐで閉塞する。
【００４３】
これにより、フィルタ４１を動かすことなく、清掃ユニット８の移動で埃を捕獲できるので、スペース効率もよく、大掛かりな機構が必要なく、信頼性も上がる。また、ブラシ用開口８１ｂ１、８２ｂ１を閉じることで、埃除去部側からの空気の漏れを防ぎ、効率よく埃を室外へ排出できる。
【図面の簡単な説明】
【００４４】
【図１】本発明の第１実施形態の空気調和機の室内機の縦断面図。
【図２】本発明の第１実施形態の空気調和機の室内機の本体の一部を切欠して示す斜視図。
【図３】本発明の第１実施形態の空気調和機の室内機に用いる清掃ユニットの一部を切欠して示す斜視図。
【図４】図３のＡ−Ａ線に沿う断面図。
【図５】図３のＢ−Ｂ線に沿う断面図。
【図６】本発明の第１実施形態の空気調和機に用いる清掃ユニットの埃排出時の斜視図。
【図７】本発明の第２実施形態の空気調和機の室内機の清掃ユニットの横断面図。
【図８】本発明の第３実施形態の空気調和機の室内機に用いる位置決め板の斜視図。
【図９】本発明の第３実施形態の空気調和機の室内機に用いる位置決め板の使用状態を示す横断面図。
【符号の説明】
【００４５】
１…空気調和機の室内機、２…本体、４…エアフィルタ、４１…フィルタ垂直部、４２…フィルタ水平部、５…熱交換器、５ａ…前面側熱交換器、６…送風機、７…フィルタ清掃装置、８…清掃ユニット、８１…清掃ユニット垂直部、８１ａ…垂直部筒体、８１ｂ…埃除去部、８１ｂ１…ブラシ用開口、８１ｃ…ブラシ、８１ｄ…埃収容部、８１ｄ１…埃排出用空気取入口、８２…清掃ユニット水平部、８２ａ…水平部筒体、８２ｂ…埃除去部、８２ｂ１…ブラシ用開口、８２ｃ…ブラシ、８２ｄ…埃収容部、８２ｄ１…埃排出用排気口、９…移動ユニット、１０…排気ユニット、１０ａ…排気ファン、１０ｂ…排気ダクト、１１…位置決め板、１１ａ…立上り、１１ｂ…通気孔、１１ｃ…通気孔。
【図１】
2008032351.tif 000003
【図２】
2008032351.tif 000004
【図３】
2008032351.tif 000005
【図４】
2008032351.tif 000006
【図５】
2008032351.tif 000007
【図６】
2008032351.tif 000008
【図７】
2008032351.tif 000009
【図８】
2008032351.tif 000010
【図９】
2008032351.tif 000011